(57)【特許請求の範囲】
【請求項１】
封板(1)で封止する型式の高圧ガス容器(2)の取付口(3)と、該取付口(3)と連通する一次ガス室(4)を同一の軸線(5)上に有する開封装置(6)の、該一次ガス室(4)に収容されるものであって、
ピストン部(11)と穿針(14)を備え、
該ピストン部(11)は該高圧ガス容器(2)から取り出されたガスを通す主路(18)と副路(19)を備えており、
該穿針(14)は、斜端部(13)を有し、該主路(18)と連通する軸孔(17)が貫通し、該ピストン部(11)の端面(12)から該ピストン部(11)の軸線(15)と平行に、該軸線(15)から偏心して、かつ尖端(16)が該軸線(15)上に位置して、突出している
ことを特徴とする高圧ガス容器の開封体。
【請求項２】
該主路(18)と該副路(19)は高圧ガスの流出側で共通の流路(20)に合流している請求項１に記載の高圧ガス容器の開封体。
【請求項３】
該開封装置(6)は救命胴衣(21)に付設され、該救命胴衣(21)に対し浮力を供給するためのものである請求項１又は２に記載の高圧ガス容器の開封体。
【発明の詳細な説明】
【技術分野】
【０００１】
本発明は高圧ガス容器の開封体に関し、初期開封荷重を小さくして婦女子でも容易に開封できるようにしたものである。
【背景技術】
【０００２】
高圧ガス容器の本体の開口は円形をしており、この開口は本体にガスを充填した後、封板で密封される。封止のやり方は、かしめや、溶接である。この封板は、穿針による穿孔、即ちカットを容易にするためと、封止する高圧ガスの圧力に耐えさせるために、開口の中心で薄く、周縁部に近づくにつれて厚くなっている。
【０００３】
この高圧ガス容器からガスを取り出すときは、この封板を針で穿孔するが、この針はなるべく小さい力で封板に穿孔できるように、尖端となっている。針が封板を突き破った状態で容器からガスを需要側へ送り出す通路として、針の外周に軸方向の溝を形成して需要側へ連通させたものや、針を中空にして需要側へ連通させたもの（特許文献１）が存在する。
【先行技術文献】
【特許文献】
【０００４】
【特許文献１】特開平８−２８７９４号公報
【発明の概要】
【発明が解決しようとする課題】
【０００５】
針を中空にした特許文献１に開示されている発明は、中空の針の先端部分が円錐形状となり、その尖端が軸線と直交する面で切断した形状となっているので、針は円環状の面で封板を押し破ることになり、初期開封荷重が大となる。
【０００６】
初期開封荷重を小さくするために針の尖端を斜切形状とした場合、針の軸線をガス容器の軸線と同一線上に配置すると、傾斜尖端が軸線と直交する面上で軸線からずれてしまい、封板の肉厚の最薄部でのカットができないことになる。
【課題を解決するための手段】
【０００７】
(請求項１)本発明にかかる高圧ガス容器の開封体は、封板で封止する型式の高圧ガス容器の取付口と、該取付口と連通する一次ガス室を同一の軸線上に有する開封装置の、該一次ガス室に収容されるものである。
該開封体はピストン部と穿針を備えている。該ピストン部は該高圧ガス容器から取り出されたガスを通す主路と副路を備えている。そして、該穿針は、斜端部を有し、該主路と連通する軸孔が貫通し、該ピストン部の端面から該ピストン部の軸線と平行に、該軸線から偏心して、かつ尖端が該軸線上に位置して、突出している。
【０００８】
封板でシールされた高圧ガス容器は、携帯に支障のない程度の大きさで、外形は砲弾形をしており、本体部と、この本体部より外径が小さくて開口のある首部を備える。
封板は外径が精々１０ｍｍ程度で、高圧ガス容器の開口部内径も７〜８ｍｍ程度と極めて小さい。この封板は、カットに大きな力を必要としないようにするためと、高圧ガスの圧力に耐えるようにするため、肉厚は中央部分が薄く、外周部分で厚くなっている。
【０００９】
このピストン部は、通常のように、開封装置の一次ガス室にＯリングを嵌装されてその軸線方向に移動自在に収容される。この軸線とピストン部の軸線は、各自が離別した状態では別個であるが、ピストン部を一次ガス室に組み込んだ状態では実質的に同一となる。
【００１０】
該ピストン部は、該高圧ガス容器(2)から取り出されたガスを通す主路(18)と副路(19)を備え、該主路が該穿針の該軸孔と連通しているので、他にガス通路を用意する必要はなく、該高圧ガス容器から取り出されたガスは該穿針の該軸孔、該主路及び該副路を通って、開封初期に該一次ガス室に存在する気体を該副路から需要側へ送り出すと共に、両通路を通して迅速かつ大量に需要側へ送り出せる。
【００１１】
この開封装置は一次ガス室の軸線と同一線上に、この一次ガス室と連通する高圧ガス容器の取付口を有している。そして、これも通常のように、高圧ガス容器は取付口に、螺合方式や、バヨネット方式等で、着脱される。
【００１２】
ガスが充填された高圧ガス容器からガスを取り出す場合、高圧ガス容器を取付口に取り付けると、その封板がピストン部と相対し、穿針の尖端は封板の中心部を指向する。この状態でピストン部を移動させれば穿針も移動し、封板の薄い部分を尖端で突き破る。従って、本発明では、大きな力は必要でない。
【００１３】
（請求項２）該主路と該副路は高圧ガスの流出側で共通の流路に合流していてもよい。
こうすると、該ピストン部の該端面と反対の端面側で流路を単一にでき、加工が容易となる。
【００１４】
（請求項３）該開封装置は救命胴衣に付設され、該救命胴衣に対し浮力を供給するためのものであってもよい。
こうすると、ばねの畜力でピストン部を動かして穿針で封板をカットする型式の救命胴衣のように、あまり大きなピストン部押圧力を得難い場合、該開封装置は極めて有効である。
【発明の効果】
【００１５】
本発明にかかる高圧ガス容器の開封体によれば、封板の最薄部でカットでき、大きな力は不要で、高圧ガス容器から流出したガスをこの軸孔を通して取り出すことができ、他にガス通路を用意する必要はなく、該高圧ガス容器から取り出された該ガスで開封初期に該一次ガス室に存在する気体を該副路から需要側へ送り出すと共に、両通路を通して迅速かつ大量に需要側へ送り出せる。
【００１６】
請求項２によれば、該ピストン部の該端面と反対の端面側で流路を単一にでき、加工が容易となる。
【００１７】
請求項３によれば、ばねの畜力でピストン部を動かして穿針で封板をカットする型式の救命胴衣のように、あまり大きなピストン部押圧力を得難い場合、該開封装置は極めて有効である。
【図面の簡単な説明】
【００１８】
【図１】本発明にかかる高圧ガス容器の開封体の具体例を使用状態で示す一部切断面図である。
【図２】封板と穿針の位置関係の説明図である。
【図３】救命胴衣に適用した状態の概略説明図である。
【図４】従来型の開封体を収容した状態の開封装置の一部切断面図である。
【発明を実施するための形態】
【００１９】
（請求項１）本発明にかかる高圧ガス容器の開封体は、封板１で封止する型式の高圧ガス容器２の取付口３とこの取付口３と連通する一次ガス室４を同一の軸線５上に有する開封装置６の、この一次ガス室４に収容されるものである。
【００２０】
この開封体は、ピストン部１１と穿針１４を備えている。このピストン部１１は高圧ガス容器２から取り出されたガスを通す主路１８と副路１９を備えている。そして、この穿針１４は、斜端部１３を有し、主路１８と連通する軸孔１７が貫通し、ピストン部１１の端面１２からこのピストン部１１の軸線１５と平行に、この軸線１５から偏心して、かつ尖端１６がこの軸線１５上に位置して、突出している。
【００２１】
このピストン部１１は、通常のように、Ｏリング７を嵌装されて開封装置６の一次ガス室４にその軸線５方向に移動自在に収容される。この軸線５とピストン部１１の軸線１５は、各自が離別した状態では別個であるが、ピストン部１１を一次ガス室４に組み込んだ状態では実質的に同一となる。
【００２２】
高圧ガス容器２は取付口３に、螺合方式や、バヨネット方式等で、着脱される。高圧ガス容器２を取付口３に取り付けると、その封板１がピストン部１１と相対し、穿針１４の尖端１６は封板１の中心部を指向する。
【００２３】
従来の例では、図４に示すように、穿針４１の軸線が開封装置４２の軸線４３上に位置しているので、尖端４４はこの軸線４３上から外れており、高圧ガス容器４５の封板４６の最薄部での穿孔ができなかった。
【００２４】
ここで、ピストン部１１を作動レバー３１等で押圧すると、穿針１４の尖端１６が軸線５上で封板１に向かって前進し、封板１の最薄部でこれをカットする。従って、ピストン部１１の押圧に大きな力は不要である。
【００２５】
このピストン部１１は、高圧ガス容器２から取り出されたガスを通す主路１８と副路１９を備え、この主路１８が穿針１４の軸孔１７と連通しているので、高圧ガス容器２から取り出されたガスは穿針１４の軸孔１７、主路１８及び副路１９を通って、開封初期に一次ガス室４に存在する気体を副路１９から需要側へ送り出すと共に、両通路１８と１９を通して迅速かつ大量に需要側へ送り出せる。
【００２６】
（請求項２）主路１８と副路１９は高圧ガスの流出側で共通の流路２０に合流している。
この場合、ピストン部１１の端面１２と反対の端面側で流路２０を単一にでき、加工が容易となる。
【００２７】
（請求項３）開封装置６は救命胴衣２１に付設され、この救命胴衣２１に対し浮力を供給するためのものとなっている。
この場合、ばねの畜力でピストン部１１を動かして穿針１４で封板１をカットする型式の救命胴衣２１のように、ピストン部１１に対してあまり大きな押圧力を得難い開封装置として極めて有効である。
【符号の説明】
【００２８】
１        封板
２        高圧ガス容器
３        取付口
４        一次ガス室
５        軸線
６        開封装置
７        Ｏリング
１１      ピストン部
１２      端面
１３      斜端部
１４      穿針
１５      軸線
１６      尖端
１７      軸孔
１８      主路
１９      副路
２０      流路
２１      救命胴衣
３１      作動レバー
【図１】
0005832323.tif 000002
【図２】
0005832323.tif 000003
【図３】
0005832323.tif 000004
【図４】
0005832323.tif 000005